(57)【要約】【課題】立設物に力が加わった場合であっても、装置本体の転倒や立設物の位置復帰による人の損傷等の被害を防止する。【解決手段】画像形成装置１０の本体１１上側接続部１３とこの本体１１に配置されるオペレーションライト２０の下側接続部２３との間に接続部材３０を配置して本体１１にオペレーションライト２０を取り付ける。接続部材３０は、ゴムなどの弾性部材で構成されると共に常時はオペレーションライト２０と本体１１との水平方向及び垂直方向の位置を規制する一方、オペレーションライト２０が所定量だけ変位したとき位置の規制が解除されオペレーションライト２０が本体１１から外れるように変形する。【選択図】図１
2010008643.tif 000002
【特許請求の範囲】
【請求項１】
装置本体の上側接続部とこの装置本体に配置される立設部材の下側接続部との間に接続部材を配置して装置本体に立設部材を取付る立設部材の支持構造であって、
前記装置本体の上側接続部及び前記立設部材の下側接続部のうちの一方の接続部には凸状取付部が形成され、他方の接続部には前記一方の凸状取付部に係合する凹状取付部が形成されてなり、
前記接続部材は、弾性部材で構成されると共に常時は前記立設部材と装置本体との水平方向及び垂直方向の位置を規制する一方、前記立設部材が所定量だけ変位したとき前記位置の規制が解除され前記立設部材が前記装置本から外れるように変形するものであることを特徴とする立設部材の支持構造。
【請求項２】
前記凸状取付部及び凹状取付部の少なくとも一方の取付部には、部材装着方向と垂直な面に沿って突出する突出部が形成されていることを特徴とする請求項１記載の立設部材の支持構造。
【請求項３】
前記突出部は、前記垂直な面内における突出方向によりその突出量が異なるよう構成されていること特徴とする請求項２記載の立設部材の支持構造。
【請求項４】
前記接続部における凸状取付部、前記凹状取付部及び接続部在の組を複数個所に配置されていることを特徴とする請求項１乃至３のいずれか記載の立設部材の支持構造。
【請求項５】
前記複数の凸状取付部、凹状取付部及び接続部在の組は、前記立設部材の変位方向について不均一に配置されていることを特徴とする請求項４記載の立設部材の支持構造。
【請求項６】
前記凸状取付部は、この凸状取付部が形成された装置本体又は立設部材から取り外し自在に配置されていることを特徴とする請求項１乃至５のいずれか記載の立設部材の支持構造。
【請求項７】
前記凸状取付部には前記装置本体又は前記立設部材への取付ネジ部が形成されていることを特徴とする請求項６記載の立設部材の支持構造。
【請求項８】
立設部材が請求項１乃至７いずれか記載の立設部材の支持構造で支持されていることを特徴とする画像形成装置。
【請求項９】
前記立設部材は、発光部を設けたオペレーションライトであることを特徴とする請求項８記載の画像形成装置。
【発明の詳細な説明】
【技術分野】
【０００１】
本発明は立設部材の支持構造及び画像形成装置に係り、特に装置本体の上側接続部とこの装置本体に配置される立設部材の下側接続部との間に接続部材を配置して立設部材を取り付ける立設部材の支持構造及びこの支持構造を備えた画像形成装置に関する。
【背景技術】
【０００２】
装置、例えば画像形成装置には、立設部材として例えば使用状態が遠方からでも確認できるようオペレーションライトを取り付けられたものがある。このようなオペレーションライトは、遠方からでも確認できるよう画像形成装置の上側の高い位置まで配置されることがあり、このような場合立設部材の先端に力が加わった場合、立設部材が取り付けられた装置が全体として倒れてしまうことがある。従来、力が加わり装置が傾いたとき、装置の重心の垂線位置が装置底面より外に出ないように、装置に大きな足を設けることがなされるが、装置の設置面積が大きくなるという問題がある。特許文献１には、自動機器等の装置本体に信号表示灯を取り付けるものが記載されている。
【０００３】
【特許文献１】特開２００４−００６２９１公報
【発明の開示】
【発明が解決しようとする課題】
【０００４】
ここで、オペレーションライトと装置本体との間に弾性部材を配置し、力が加わったとき、立設部材が傾くようにすることもできるが、立設部材が弾性部材の反力でもとの位置に戻るときに、立設部材がユーザに接触してユーザを傷つけるおそれもある。
しかしながら、
【０００５】
そこで本発明は、立設物に力が加わった場合であっても、装置本体の転倒や立設物の位置復帰による人の損傷等の被害を防止することができる立設部材の取付構造及びこの取付構造を備えた画像形成装置を提供することを目的とする。
【課題を解決するための手段】
【０００６】
請求項１の発明は、立設部材の支持構造において、装置本体の上側接続部とこの装置本体に配置される立設部材の下側接続部との間に接続部材を配置して装置本体に立設部材を取付る立設部材の支持構造であって、前記装置本体の上側接続部及び前記立設部材の下側接続部のうちの一方の接続部には凸状取付部が形成され、他方の接続部には前記一方の凸状取付部に係合する凹状取付部が形成されてなり、前記接続部材は、弾性部材で構成されると共に常時は前記立設部材と装置本体との水平方向及び垂直方向の位置を規制する一方、前記立設部材が所定量だけ変位したとき前記位置の規制が解除され前記立設部材が前記装置本から外れるように変形するものである。
【０００７】
請求項２の発明は、請求項１記載の立設部材の支持構造において、前記凸状取付部及び凹状取付部には、部材装着方向にそれぞれ係合する係合段部が形成されていることを特徴とする。
【０００８】
請求項３の発明は、請求項２記載の立設部材の支持構造において、前記凸状取付部の外周の位置により前記凹状取付部と前記凸状取付部の段部の突出量が異なること特徴とする。
【０００９】
請求項４の発明は、請求項１乃至３のいずれか記載の立設部材の支持構造において、前記接続部における凸状取付部、前記凹状取付部及び接続部在の組を複数個所に配置されていることを特徴とする。
【００１０】
請求項５の発明は、請求項４記載の立設部材の支持構造において、前記複数の凸状取付部及び凹状取付部は、他の凸状取付部及び凹状取付部との間隔が不均等に形成されていることを特徴とする。
【００１１】
請求項６の発明は、請求項１乃至５のいずれか記載の立設部材の支持構造において、前記凸状取付部は、この凸状取付部が形成された装置本体又は立設部材から取り外し自在に配置されていることを特徴とする。
【００１２】
請求項７の発明は、請求項６記載の立設部材の支持構造において、前記凸状取付部には前記装置本体又は前記立設部材への取付ネジ部が形成されていることを特徴とする。
【００１３】
請求項８の発明は、立設部材が請求項１乃至７いずれか記載の立設部材の支持構造で支持されていることを特徴とする画像形成装置である。
【００１４】
請求項９の発明は、請求項８記載の画像形成装置において、前記立設部材は、発光部を設けたオペレーションライトであることを特徴とする。
【発明の効果】
【００１５】
本発明に係る立設部材の取付構造及び画像形成装置によれば、立設部材に力が加わり所定量以上変位すると、接続部材が変形して立設部材は装置から外れ、装置が転倒したり、立設部材の位置が復帰したりすることがなく、装置本体や人に損傷をあたえることがない。
【発明を実施するための最良の形態】
【００１６】
以下本発明を実施するための最良の形態としての実施例を図面に基づいて説明する。
【実施例】
【００１７】
以下実施例に係る画像形成装置について説明する。図１は第１の実施例に係る画像形成装置を示す斜視図である。本例では、画像形成装置１０の本体１１の上面１２には、高い位置に設けられて機能する立設部材として、上述したオペレーションライト２０が設けられている。オペレーションライト２０は、画像形成装置１０に立設されるポール２１の上端に遠くから装置の状態を確認することができる発光部２２が配置されて構成されている。
【００１８】
画像形成装置１０の本体１１には、上側接続部１３が設定され、この上側接続部１３には、上側取付孔１４が開設されている。
【００１９】
また、オペレーションライト２０のポール２１下面は前記画像形成装置１０の上側接続部１３に接触される下側接続部２３が設定されおり、下側接続部２３には下側側取付孔２４が開設されている。
【００２０】
本例では、画像形成装置１０とオペレーションライト２０とは弾性を備えた部材例えば天然ゴム、合成ゴム等で一体形成された接続部在３０を介して接続されている。接続部在３０は、オペレーションライト２０内に配置されるポール側係合部３１と、画像形成装置１０内に配置される本体側係合部３２と、前記ポール側係合部３１と本体側係合部３２とを連結する連結部３３とからなる。
【００２１】
ポール側係合部３１は円盤状の部材であり下側側取付孔２４から抜け出ないよう下側側取付孔２４の直径より大きな外形を備えて形成されている。本体側係合部３２は下向きに先細りの形状をなし所定の力が負荷したとき前記上側取付孔１４から抜け出るよう、上側取付孔１４の直径よりやや大きな直径を備える。
【００２２】
このような構成を備える接続部在３０はオペレーションライト２０のポール２１の下側接続部２３に下側側取付孔２４から本体側係合部３２、連結部３３が飛び出るように予め配置され、オペレーションライト２０の取付時に連結部３３を上側取付孔１４に挿入するようにして組み立てられる。
【００２３】
次に本実施例の動作について説明する。図２はオペレーションライトが傾斜した状態を示すものであり、（ａ）は画像形成装置の斜視図、（ｂ）及び（ｃ）はオペレーションライト取付部の拡大断面図である。図２（ａ）に示すように、オペレーションライト２０の先端に外力Ｆが加わったとき、オペレーションライト２０は、図２（ｂ）に示すように、前記ポール２１の下側接続部２３と画像形成装置１０の上側接続部１３との接触する部分Ｂを中心に傾く。この状態でさらに強い力が加わったとき、画像形成装置１０の上側接続部１３とオペレーションライト２０の下側接続部２３とが離間して、上側接続部１３と下側接続部２３の間に配置されている接続部在３０が変形する。そして、図２（ｃ）に示すように、前記上側接続部１３の穴径Ｄより接続部在３０の本体側係合部３２の径Ｃが小さくなると、オペレーションライト２０は、画像形成装置１０から外れる。このとき、オペレーションライト２０が外れるまでは、画像形成装置１０の重量が画像形成装置１０を引き上げる力より小さい場合画像形成装置１０も一緒に傾く。このとき、画像形成装置１０の重心の垂線の位置が、画像形成装置１０の底面より外側に出る前に、接続部在３０が変形して、上側取付孔１４より小さくなるように上側取付孔１４の大きさを設定しておくことにより、画像形成装置１０が倒れる前にオペレーションライト２０は、本体１１から外れ、画像形成装置１０が倒れることはない。
【００２４】
また、同じように接続部在３０が変形して、オペレーションライト２０の傾斜が、例えばケガの発生を予見できるような大きな反力となる前に外れるように、上側取付孔１４の直径を設定しておくことができる。
【００２５】
尚、上記例において立設部材をオペレーションライト２０として説明したが、立設部材としては信号を受信するアンテナ等、他の部材であってもよい。
【００２６】
図３は第１の実施例で使用した接続部在の変形例を示す概略断面図である。本例において、接続部在４０は、両端部４１，４２が中央部より大径に形成されたゴム製の部材として構成される。接続部在４０は、画像形成装置１０の上側取付孔１４と、オペレーションライト２０の下側側取付孔２４に挿入され、オペレーションライト２０を画像形成装置１０に設置するものとしている。本例によれば、接続部在４０の形状を適宜変更することにより、上記第１実施例と同様の効果を得ることができる。
【００２７】
次に第２実施例について説明する。図４は実施例に係る立設部材の支持構造を示すものであり、（ａ）は通常の状態を示す断面図、（ｂ）はオペレーションライトに力が作用した状態を示す断面図である。
【００２８】
画像形成装置１０は、図４（ａ）に示すように、画像形成装置１０の上側接続部１３に凹状取付部１６を凹設すると共に、オペレーションライト２０の下側接続部２３に凸状取付部として突起部２５を設けて構成されている。この突起部２５は、前記凹状取付部１６より小径に形成される。また、本例では、ポール２１と上側接続部１３の間には、接続部在５０が配置される。接続部在５０は、凹状取付部１６に嵌合される外径を備えると共に前記突起部２５が嵌合される穴部５１が形成される。この接続部在５０は弾性体例えば天然ゴム、合成ゴム等をその原材料とすることができる。
【００２９】
本例では、オペレーションライト２０は上側接続部１３上の凹状取付部１６に嵌合した接続部在４０の穴部５１に前記ポール２１の突起部２５を嵌入して配置される。このため、オペレーションライト２０に力が作用したとき、突起部２５が接続部在５０の穴部５１から上方向の抜けるようにして外れる。即ち、本例では、オペレーションライト２０の抜け方向を垂直方向に限定し、画像形成装置１０の上側接続部１３上で水平方向に移動では抜けないように制限することができる。
【００３０】
次に第３の実施例について説明する。図５は第３の実施例に係る立設部材の支持構造を示すものであり、（ａ）は通常の状態を示す断面図、（ｂ）はオペレーションライトに力が負荷した状態を示す断面図である。
【００３１】
本例では、オペレーションライト２０の下側接続部２３に形成した突起部２６の先端にオペレーションライト２０の抜け方向と直角な面に沿って突出する大径部２７を形成する他、上側接続部１３に形成した凹状取付部１６の内側に前記面に沿って内側に向け突出する鍔部１６ａを形成している。また、ポール２１の下端部であって、下側接続部２３の周縁には下方に向け突出部２３ａを形成している。
【００３２】
また、接続部在６０は、前記突起部２６が挿入される穴部６１と、前記凹状取付部１６の鍔部１６ａに嵌合する溝部６２を形成し、この溝部６２を前記鍔部１６ａに係合して接続部在６０を上側接続部１３に取り付けるようにしている。
【００３３】
ここで、突起部２６の大径部２７の直径２７ａは接続部在６０の穴部６１の直径より大きい寸法とし、前記鍔部１６ａの内径１６ｂは前記接続部在６０の外形より小さい寸法としている。
【００３４】
本例では、前記大径部２７の直径２７ａと接続部在６０の穴部６１の内径寸法、凹状取付部１６の鍔部１６ａの内径１６ｂ及び接続部在６０の形状を選択することにより、突起部２６が接続部在６０から外れるとき接続部在６０の変形量を大きくすることができ、オペレーションライト２０が画像形成装置１０から外れる力の設定幅を広げることができる。
【００３５】
図６は第３の実施例の変形例を示すものであり、（ａ）は通常の状態を示す断面図、（ｂ），（ｃ）はオペレーションライトに力が負荷した状態を示す断面図である。本例は、突起部２６の先端に形成した大径部２８の張り出し寸法を外周の位置により変更したものである。図に示した例では、図中右側の大径部２８ａの突出寸法を同左側の大径部２８ｂの突出量より大きくしている。この例によれば、図６（ｂ）、（ｃ）に示したように、オペレーションライト２０の傾動方向（ここでは図中左右）により、接続部在６０の変形量を異なるものとでき、オペレーションライト２０が画像形成装置１０から外れる力を方向により変更することができる。
【００３６】
次に第４の実施例について説明する。図７は第４の実施例に係る立設部材の支持構造を示すものであり、（ａ）は画像形成装置を示す斜視図、（ｂ）はオペレーションライト取付部の部分拡大斜視図、（ｃ）はオペレーションライト取付部の底面図である。本例では、画像形成装置１０の本体１１の上面１２には、４個所に凹状取付部１６、突起部２９及び、接続部在７０の組を配置している。即ち、画像形成装置１０の上側接続部１３には、４個所に前記第３の実施例と同様の構成を備える凹状取付部（図中現れていない）が配置され、これらの凹状取付部１６にはそれぞれ前記第３の実施例に示したものと同様の接続部在７０が配置される。
【００３７】
また、オペレーションライト２０は、ポール２１と、発光部２２と、下面に下側接続部２３が形成された取付基台２１ａとを備え、取付基台２１ａの下面である下側接続部２３には前記接続部在７０に挿入される４つの取付凸部である突起部２９が配置されている。本例では、凹状取付部１６、下側接続部２３及び接続部在４０の組は、取付基台２１ａの内側で円周上等間隔に配置されている。従って本例に係る立設部材の支持構造によれば、画像形成装置１０に形成される凹状取付部及びオペレーションライト２０に配置される突起部２９と数を変更することで、オペレーションライト２０が外れる力を自由に設定することができる。
【００３８】
図８は第４の実施例の変形例を示すものであり、（ａ）は画像形成装置を示す斜視図、（ｂ）乃至（ｄ）はオペレーションライト取付部の部分拡大斜視図、（ｅ）はオペレーションライト取付部の底面図である。本例は、凹状取付部１６、突起部２９及び接続部在７０の組を４つ設け、これらの組の分布を画像形成装置１０の正面側と裏面側、左側と右側で変えたものである。即ち、本例は、前記凹状取付部１６、突起部２９及び接続部在４０の組を左右方向には、左側に多く、前後方向には均等に配置している。このため、本例では、オペレーションライト２０を左右方向に倒す方向については、右方向には弱い力で突起部２９が接続部在７０から外れ（図８（ｃ）、（ｄ）参照）、前後方向に倒す力については略同一の力で突起部２９が接続部在７０から外れることとなる。
【００３９】
このように、オペレーションライト２０が外れる力の大きさを方向によって設定することができる。
【００４０】
次に第５の実施例について説明する。図９は第５の実施例に係る立設部材の支持構造を示す概略断面図である。本例は、オペレーションライト２０の下側接続部２３に配置される突起部８０をポール２１と別体に構成し、Ｅリング９０等のストッパ機能部品で固定したものである。突起部８０には、その先端に大径部８１が形成されている他、その基部であり、ポール２１内に配置される部分には、前記Ｅリング９０係合用の溝部８２が形成される。本例によれば、オペレーションライト２０を画像形成装置１０に装着する場合、接続部在７０を変形させることなくなりオペレーションライト２０を画像形成装置１０に容易に組み立てることができる。
【００４１】
図１０は第６の実施例に係る立設部材の支持構造を示す概略断面図である。本例では、上側接続部１３に立設部在取付部１１０をネジ１１１で固定し、この立設部在取付部１１０に接続部在７０を配置する他、突起部１２０をオペレーションライト２０のオペレーションライト２０と別体に構成してオペレーションライト２０の下側接続部２３に取り付けている。本例では、突起部１２０には、大径部１２１とネジ部１２２を構成して、突起部１２０は、ネジ部１２２をオペレーションライト２０の下側接続部２３に形成した雌ネジ部２３ｂにねじ込み固定している。
本例では、画像形成装置１０の本体１１に立設部在取付部１１０をネジ１１１で取り付けることができる他、突起部１２０をオペレーションライト２０のポール２１にねじ込んで取り付けることができるので、既存の画像形成装置１０に容易且つ低コストでオペレーションライト２０を取り付けることができる。
【図面の簡単な説明】
【００４２】
【図１】第１の実施例に係る画像形成装置を示す斜視図である。
【図２】第１の実施例においてオペレーションライトが傾斜した状態を示すものであり、（ａ）は画像形成装置の斜視図、（ｂ）及び（ｃ）はオペレーションライト取付部の拡大断面図である。
【図３】第１の実施例で使用した接続部在の変形例を示す概略断面図である。
【図４】第２の実施例に係る立設部材の支持構造を示すものであり、（ａ）は通常の状態を示す断面図、（ｂ）はオペレーションライトに力が作用した状態を示す断面図である。
【図５】第３の実施例に係る立設部材の支持構造を示すものであり、（ａ）は通常の状態を示す断面図、（ｂ）はオペレーションライトに力が負荷した状態を示す断面図である。
【図６】第３の実施例の変形例を示すものであり、（ａ）は通常の状態を示す断面図、（ｂ），（ｃ）はオペレーションライトに力が負荷した状態を示す断面図である。
【図７】第４の実施例に係る立設部材の支持構造を示すものであり、（ａ）は画像形成装置を示す斜視図、（ｂ）はオペレーションライト取付部の部分拡大斜視図、（ｃ）はオペレーションライト取付部の底面図である。
【図８】第４の実施例の変形例を示すものであり、（ａ）は画像形成装置を示す斜視図、（ｂ）乃至（ｄ）はオペレーションライト取付部の部分拡大斜視図、（ｅ）はオペレーションライト取付部の底面図である。
【図９】第５の実施例に係る立設部材の支持構造を示す概略断面図である。
【図１０】第６の実施例に係る立設部材の支持構造を示す概略断面図である。
【符号の説明】
【００４３】
１０  画像形成装置
１１  本体
１２  上面
１３  上側接続部
１４  上側取付孔
１６ａ  鍔部
１６  凹状取付部
１６ｂ  内径
２０  オペレーションライト
２１  ポール
２１ａ  取付基台
２２  発光部
２３  下側接続部
２３ａ  突出部
２３ｂ  雌ネジ部
２４  下側側取付孔
２５  突起部
２６  突起部
２７ａ  直径
２７  大径部
２８  大径部
２８ａ  大径部
２８ｂ  大径部
２９  突起部
３０  接続部在
３１  ポール側係合部
３２  本体側係合部
３３  連結部
４０  接続部在
４１，４２  両端部
５０  接続部在
５１  穴部
６０  接続部在
６１  穴部
６２  溝部
７０  接続部在
８０  突起部
８１  大径部
８２  溝部
９０  Ｅリング
１１０  立設部在取付部
１１１  ネジ
１２０  突起部
１２１  大径部
１２２  ネジ部
【図１】
2010008643.tif 000003
【図２】
2010008643.tif 000004
【図３】
2010008643.tif 000005
【図４】
2010008643.tif 000006
【図５】
2010008643.tif 000007
【図６】
2010008643.tif 000008
【図７】
2010008643.tif 000009
【図８】
2010008643.tif 000010
【図９】
2010008643.tif 000011
【図１０】
2010008643.tif 000012